(57)【特許請求の範囲】
【請求項１】
平板部と平板部に開口した筒部からなる単位部材を配設して部材空間を地下に構成し、当該部材空間をシートで覆い水の貯留空間とした貯留浸透施設において、前記部材空間の底面にコンクリート板を敷設し、当該コンクリート板は前記単位部材の平板部を直線状に並べて嵌合させる嵌合用の凹部を有し、当該凹部の底面は前記部材空間の底面と平行に設定され、かつ凹部の深さが異なるコンクリート板を複数用意し、凹部の深さが異なるコンクリート板を敷設することでコンクリート板の表面により傾斜面の元を形成させ、コンクリート板凹部に単位部材の平板部を嵌合し、嵌合用の凹部に嵌合する単位部材の平板部は他の単位部材の平板部より小さく形成され、単位部材とコンクリート板の隙間にコンクリートを打ち傾斜面を完成させ、さらに単位部材を配設して形成した部材空間をシートで覆い水の貯留空間とした貯留浸透施設。
【発明の詳細な説明】
【技術分野】
【０００１】
本発明は、単位部材を連結した水の貯留浸透施設の技術に属する。
【背景技術】
【０００２】
雨水の流出抑制を目的として、プラスチックなどで製造されたテーブル状、容器状あるいはパイプ状部材などの単位部材を地下に配置し、貯留空間を確保して雨水を一時的に貯留する貯留浸透施設が普及している。この目的のために各種の形状の部材が例えば特開昭62-101097、特開昭62-126179、特開平9-296486、特開平11-43971、特開平10-115778などに提案かつ使用されている。それらの一例を図５に示す。いずれの方法も部材を配置しその周囲を透水性もしくは遮水生のシート類で包み、その内部空間に雨水を貯蔵する貯留浸透施設とするものである。
雨水の流出抑制を目的とするためには、地下水位が低い場合は透水性のシートで包み、貯留された雨水を徐々に地下に浸透させ、地下水位が高い場合は地下水が内部に入らないように遮水性のシートで包み雨水を貯留した後、徐々に下水あるいは河川に放流することが行われている。
【０００３】
これら雨水の貯留浸透施設は、屋根雨水のみを貯留する場合は雨水中に含まれる砂泥分は極めて少なく、そのまま貯留空間内に堆積してもその貯留機能を大きく損なうことはない。しかしながら、U字溝を介して流入する雨水を貯留する場合は雨水中に含まれる砂泥分はきわめて大きい。そのまま貯留空間内に堆積させると貯留空間の容積を減少させ、貯留浸透施設の機能を損なう可能性がある。貯留空間に堆積した砂泥分を除去するため特開2002-129640には貯留空間の基礎部に傾斜を設け、砂泥分を最下層部に集め排出する方法が開示されている。単位部材を用いた貯留空間の基礎部にかかる傾斜面を形成することは手間と時間がかかり効率的ではなかった。
【０００４】
【特許文献１】特開昭62-101097
【特許文献２】特開昭62-126179
【特許文献３】特開平9-296486
【特許文献４】特開平11-43971
【特許文献５】特開平10-115778
【特許文献６】特開2002-129640
【発明の開示】
【発明が解決しようとする課題】
【０００５】
本願発明は、単位部材を連結して部材空間を構成した雨水貯留浸透施設の底面に傾斜を設ける方法の提案にある。
【課題を解決するための手段】
【０００６】
本発明は、平板部と平板部に開口した筒部からなる単位部材を配設して部材空間を地下に構成し、当該部材空間をシートで覆い水の貯留空間とした貯留浸透施設において、前記部材空間の底面にコンクリート板を敷設し、当該コンクリート板は前記単位部材の平板部を直線状に並べて嵌合させる嵌合用の凹部を有し、当該凹部の底面は前記部材空間の底面と平行に設定され、かつ凹部の深さが異なるコンクリート板を複数用意し、凹部の深さが異なるコンクリート板を敷設することでコンクリート板の表面により傾斜面の元を形成させ、コンクリート板凹部に単位部材の平板部を嵌合し、嵌合用の凹部に嵌合する単位部材の平板部は他の単位部材の平板部より小さく形成され、単位部材とコンクリート板の隙間にコンクリートを打ち傾斜面を完成させ、さらに単位部材を配設して形成した部材空間をシートで覆い水の貯留空間とした貯留浸透施設である。傾斜面の形成作業を簡易化するため、傾斜面を形成する場所と単位部材を分離し、単利部材の配置前にコンクリートの打設を可能とした。
【発明の効果】
【０００７】
部材空間の底面にテーブル状単位部材の平板部が嵌合できるコンクリート板を形成、敷設し、嵌合深さを調整し部材空間の底面に傾斜を形成できるようにしたため、テーブル状単位部材を敷設した後、その隙間にコンクリートをうち傾斜面とする手間と時間が軽減できる。また、傾斜面の仕上がり精度を簡単に調整できる。
【発明を実施するための最良の形態】
【０００８】
以下、本発明を、図を用いて、より詳細に説明する。
図１は、本発明を貯留浸透施設の部材空間の概念図である。図1ａは断面図である。図1ｂは図１ａでのＡ−Ｂ線で切った部材空間の底面の平面図である。
【０００９】
図１ａに示したように、貯留浸透施設の部材空間はその部材空間の底面に傾斜が設けられ、図ではその部材空間中央に堆積した砂泥分が集まるように構成されている。図ではその中央部が一番低くなっているが、中央部を高く周辺部を低くするようにしてもよい。図１ｂに示すように、コンクリート板にテーブル状部材の端部を切り欠き十字形とした平板部が嵌合されている。
【００１０】
図２は傾斜面を形成する手段を示す図である。図では３個のコンクリート板がそれぞれａ、ｂ、ｃとして示されている。それぞれ上部がコンクリート板の平面図であり下が断面図である。平面図の十字をつなげた嵌合用凹部に平板部の端部が切りかかれたテーブル状単位部材の板部が嵌合される。図では十字状の平板部であるため図のように十字をつなげた嵌合部となっているが、ひし形形状その他の形状であってもよい。断面図で示すようにコンクリート板に設けた嵌合部の底面の位置はコンクリート板の底面から一定の高さに設けられ、その深さはａからｂ、ｃ、とその深さｈが減少するように設けられ、その順に並べて配設することで部材空間の底面には図１ａに示されるような周辺から中心にむけて減少する傾斜が形成される。
【００１１】
コンクリート板の傾斜はそれぞれの板の表面に設けた傾斜面が全体として連続する傾斜面となるように形成しても、階段状になるように形成してもよい。
【００１２】
必要に応じ部材空間の底面の一番低い場所にＵ字溝を図３に示すように設けることも可能である。図４に示すように、本貯留部に壁材をめぐらし、適切なシートで覆い、必要に応じて流入管、泥だめます、オリフィスますなどを設けて貯留浸透施設として使用することは従来の技術となんら変わるところがない。
【００１３】
単位部材は、その材質は特に限定されないが、水に対する耐性と、必要な強度が得られるものが好ましく、ステンレススチール製あるいは熱可塑性プラスチックあるいはガラス繊維などで強化されたプラスチック製が使用される。
【図面の簡単な説明】
【００１４】
【図１】は、 本発明の貯留浸透施設における部材空間の概念図である。
【図２】は、基礎面を構成するコンクリート板の概念図である。
【図３】は、本発明の貯留浸透施設における部材空間の他の概念図である。
【図４】は、本発明の貯留浸透施設としての使用例の概念図である。
【図５】は、単位部材の例を示す。
【００１５】
１  コンクリート板
２  単位部材
３  傾斜面
４  嵌合部深さｈ
５  Ｕ字溝
６  貯留浸透施設
７  シート
【図１】
0004716113.tif 000002
【図２】
0004716113.tif 000003
【図３】
0004716113.tif 000004
【図４】
0004716113.tif 000005
【図５】
0004716113.tif 000006